(57)【要約】      （修正有）【課題】国内の木造骨組みの接合において、各補強金物が取り付け箇所だけの効果でなくそれらにつながりをもち、地震に強い、補強金物の連結方法を提供する。【解決手段】柱Ｈと横幅が同じのチャンネル材２個を直角に突き合せて固着させた接合チャンネル材の底板内に三角板ＴＳを固着させて板付きチャンネル材Ｔを形成し、角管の４面それぞれに板付きチャンネル材を固着させて板付きチャンネル集合材にし、さらに間柱ＨＭの中間部に左Ｔ型材と右Ｔ型材との裏面で挟み合せて固定し、それら左右のＴ型材にボルト固定する４本のアングル筋交いＡを右斜めと左斜めとに向け、それら４本は柱の上部に固定する板付きチャンネル集合材の一つの三角板と柱の下部に固定する板付きチャンネル材の三角板とに固定し、さらに下階と上階との板付きチャンネル材とを接続金物や貫通ボルトで接続して、各補強金物を木材損傷させずにつなげる補強金物の連結方法。【選択図】図１
2018165439.tif 000002
【特許請求の範囲】
【請求項１】
チャンネル材を直角に合せて固着し、その底面内に三角板を固着させて板付きチャンネル材を形成し、柱の上部に被せ嵌める角管の4面それぞれに部屋割りに応じて板付きチャンネル材を固着させる事で図7のような各種の板付きチャンネル集合材を形成し、他方電動引き戸や電動片開き戸の機構部材を便所に隣接する壁内に固定する場合は金属間柱の中間高さに中継板を固着し、その中継板にボルト固定する平角棒の筋交い4本は壁際を上下斜めの十字四方に伸ばし柱の上部と下部に固定する板付きチャンネル材の三角板部分に固定する事で電動機構部材を付けた壁を強くし、他方、小板面にボルト2本を固着しその1本は土台に貫通固定し1本は板付きチャンネル材の横面穴に入れて固定し、その土台に固定した板付きチャンネル材の三角板部分に固定するアングル筋交いを斜め右上に上げて間柱の中間部分の左面に固定する左T型材の突起板部分に固定し、その左T型材と間柱を挟んで対称位置の右T型材の突起板部分に固定するアングル筋交いを右上で柱の上部に固定する板付きチャンネル集合材の一つの三角板に固定し、そのように間柱の中間から4本のアングル筋交いを斜め十字四方に伸ばし柱の上部と下部との板付きチャンネル材の三角板に固定する事で間柱の損傷を最小にし、さらに図9のように階下で柱上部の板付きチャンネル材の横面穴と梁を介して上階の板付きチャンネル材の横面穴とを接続板片Sで接続しそれと梁を上下に貫通する貫通ボルトSBとで上階と階下との板付きチャンネル材で梁を挟んで接続固定し、さらに板付きチャンネル集合材は増改築工事では取り付けが不可能なので図10のように各板付きチャンネル材の横面と横面とを集合固定させる為に接合アングルSAと接続板Sと貫通ボルトSBとで各板付きチャンネル材を一体化にし、上記のように木造骨組み接合箇所の損傷を最小にし全補強金物をつなげる補強金物の連結方法。
【発明の詳細な説明】
【技術分野】
【０００１】
木造住宅の補強金物。
【背景技術】
【０００２】
木造住宅で筋交いを取り付ける場合、間柱が邪魔になり間柱の中間部分の50％〜90％を削除する事で取り付けし、さらに柱上部分の斜め補強木材の取り付けでも取り付け箇所断面の15％〜40％を削除する事で取り付けし、それらの補強木材や補強金物は取り付け箇所だけの強度効果に止まり強度効果につながりが無い為に地震に弱い。
【先行技術文献】
【特許文献】
【０００３】
【特許文献１】特願2017−042529
【発明の概要】
【発明が解決しようとする課題】
【０００４】
木造住宅の骨組みを嵌め合わせて組む場合、木の接合部分を削除する事で組み建てし、その骨組み削除部分それぞれの削除断面が15％〜90％になる各種場面に遭遇し、しかも補強金物や補強木材はその取り付け箇所だけの強度効果に止まり、その強度効果につながりが無い為に地震に弱く、さらに被災地では一部の半壊家屋がゴミとして処分されている場合もある現状で本発明技術は新築時より耐震強度の高い住宅に改築再生できる可能性を有し、未来に発生する地震による死者と倒壊家屋とを減少できる可能性に関連する。
【課題を解決するための手段】
【０００５】
上記目的を達成するために、本発明に係る骨組み接合箇所の全補強金物をつなげる補強金物の連結方法を説明する、柱と横幅が同じチャンネル材を直角に接合させて固着し、その接合チャンネル材の底面に三角板を固着させて板付きチャンネル材を形成し、図7のように柱の上部に被せる角管の4面それぞれに部屋割りに応じた数の板付きチャンネル材を固着させて板付きチャンネル集合材にした。
【０００６】
電動片開き戸機構を壁内に固定する場合は図2のように角管間柱に固着する受け板と便所の角柱に釘固定する半割り板とに載せる基盤を平角棒の筋交いが斜めに通過する部分の2箇所を削除し、さらに角管間柱に固着する中間板にボルト固定する4本の平角棒の筋交いを柱の上部と下部とに固定する板付きチャンネル材の三角板部分に取り付ける事で電動片開き戸を取り付ける壁を強固にした。
【０００７】
電動引き戸機構を壁内に固定する場合は図4のように基盤を角柱と柱との二つに分けて固定する事で二つの間に空間を作り、その空間に平角棒の筋交いを通過させ、さらに角管間柱の中間板に固定する平角棒の筋交い4本を右斜めと左斜めとの十字状に伸ばし柱の上部と下部との板付きチャンネル材の三角板部分に固定する事で電動引き戸を取り付ける壁も強固にした。
【０００８】
図11のようにボルト2本を固着させた板片Jのボルト1本は土台に貫通固定し1本は板付きチャンネル材の横面穴に入れて横面に固定し、その土台に固定した板付きチャンネル材の三角板部分にボルト固定するアングル筋交いを斜め上に上げ間柱の中間部分に固定する左T型材Pの突起板部分PTにボルト固定し、その左T型材と間柱を挟んで対称位置の右T型材Pの突起板部分PTにアングル筋交いをボルト固定させて斜め上に上げ、そのように間柱の中間部分を挟む左T型材Pと右T型材との突起板部分PTそれぞれにボルト固定する４本のアングル筋交いを左右の柱の上部分と下部とのそれぞれの板付きチャンネル材の三角板部分に固定する事で間柱の損傷を最小限にし、さらに図8のように下階の板付きチャンネル集合材の一つの横面穴と梁を介して上階の板付きチャンネル材の横面穴とを接続板片Sで接続しそれと梁を上下に貫通する貫通ボルトSBとで上階と下階との板付きチャンネル材と梁とを合せて接続固定し、その板付きチャンネル集合材は増改築工事では取り付けが不可能なので図10のように各板付きチャンネル材の横面と横面とを接合固定する為に接合アングルSAと接続板片Sと貫通ボルトSBとで板付きチャンネル材を一体化にし、上記のように木造骨組み接合箇所の損傷を最小限に全補強金物をつなげる補強金物の連結方法。
【発明の効果】
【０００９】
被災地のゴミとして廃棄される一部の半壊家屋を大工経験者として新築時より耐震強度の高い住宅に改築再生してみたい冒険心を有し、さらに未来に発生する地震による死者と倒壊家屋とを減少させる為に東北の大工と共に地震に負けない町作りを話し合う気持ちが少しあります。
【図面の簡単な説明】
【００１０】
【図１】胴差しを組み入れた外回り骨組み正面図。
【図２】便所の角柱に方開き戸を取り付けた場合の骨組み正面図。
【図３】電動片開き戸基盤の削除部分をぬけて斜め上に上がる平角棒筋交いの斜視図。
【図４】角柱と柱とのそれぞれに取り付けた受け台の間をすり抜ける平角棒筋交いの正面図。
【図５】電動引き戸の壁内の角管間柱と平角棒筋交いとの斜視図。
【図６】間柱に取り付けた平角棒付きチャンネル材に固定するアングル筋交いの斜視図。
【図７】木造新築工事で柱の上部に先付けする角管に固着した各板付きチャンネル集合材の斜視図。
【図８】柱の上部の板付きチャンネル集合材と柱下部の板付きチャンネル集合材の組み合わせ斜視図。
【図９】住宅外回り壁の増改築で柱の上部と上階の柱の下部とに取り付ける板付きチャンネル材で上下を連結する収まりの斜視図。
【図１０】住宅内壁の増改築で取り付ける各板付きチャンネル材を連結させる接合アングルの取り付け斜視図。
【図１１】端部に間柱取り付け板を固着した板付きチャンネル材を土台に固定した斜視図。
【発明を実施するための形態】
【００１１】
本発明の一実施形態に係る木造骨組みの接合箇所の損傷を最小限に全補強金物をつなぐ補強金物の連結方法を説明する、柱Hと横幅が同じチャンネル材を直角に突き合せて固着し、その接合チャンネル材の底面に三角板TSを固着させて板付きチャンネル材Tを形成し、図7のように柱Hに嵌め被せて固定する角管HKの4面それぞれに部屋割りに応じた数の板付きチャンネル材Tを固着する事で板付きチャンネル集合材を形成した。
【００１２】
電動片開き戸機構を壁内に埋設する場合は図2のように角管間柱Kに固着する受け板RUと便所の角柱HKに釘付けする半割り板HHとに基盤Rを載せ、図3のように角管間柱Kの中間に固着する中間板Fに固定する4本の平角棒の筋交いKHを右斜めと左斜めとに伸ばし柱Hの上部と下部とに固定する板付きチャンネル材Tの三角板TS部分に平角棒の筋交いKHをボルト固定し、その平角棒の筋交いKHが当る基盤Rの2箇所を図3のように削除する事で電動片開き戸を取り付ける壁を強固にした。
【００１３】
電動引き戸機構を壁内に埋設する場合は図4のように基盤Rを二つに分けて角柱HKと柱Hとに固定する事で空いた空間に通過させる平角棒筋交いKHを角管間柱Kに固定する中間板Fから右斜めと左斜めとに伸ばし柱Hの上部と下部とに固定する板付きチャンネル材Tの三角板TSに固定する事で電動引き戸を取り付ける壁も強固にした。
【００１４】
図11のようにボルト2本を固着させた板片JのボルトB1本を土台Dに貫通固定し1本は板付きチャンネル材Tの横面穴に入れて横面に固定し、その土台に固定した板付きチャンネル材Tの三角板部分TSにボルト固定するアングル筋交いAを斜め上で間柱HMの中間部分に固定する左T型材Pの突起板部分PTにボルト固定し、その左T型材Pと間柱HMを間に対称位置の右T型材Pの突起板部分PTに固定するアングル筋交いAを右斜め上で柱H上部の板付きチャンネル集合材の三角板TSにボルト固定し、その間柱HMを挟み止める左右のT型材Pから斜め十字状に伸びる4本のアングル筋交いAを柱の上部と下部それぞれの板付きチャンネル材Tの三角板TSに固定する事で間柱Hの中間部分の損傷を最小限にし、さらに図9のように下階柱Hの上部に固定する板付きチャンネル集合材の横面穴と梁を介して上階の板付きチャンネル材Tの横面穴とを接続板片Sで接続しそれと梁を上下に貫通する貫通ボルSBとで上階と下階との板付きチャンネル材Tと梁とを接続固定し、その板付きチャンネル集合材は増改築工事では取り付けが不可能なので図10のように各板付きチャンネル材Tの横面と横面とを固定する為に接合アングルSAと接続板片Sと貫通ボルトSBとで各板付きチャンネル材Tを一体化にし、上記のように木造骨組みの損傷を最小限にし全補強金物をつなげる補強金物の連結方法。
【符号の説明】
【００１５】
HK      便所の角柱
H        柱
HM      間柱
G        梁
Q        胴差し
U        天井板
D        土台
DD      土台束
DH      掃き出し窓の木枠
T        板付きチャンネル材
TS      三角板
K        角管
F        角管の中間に固着させた中間板
KH      平角棒の筋交い
A        アングル筋交い
P        T型材
PT      T型材の突起板部分
Z        階下のT型チャンネル材を梁に固定するコの字形金物
C        異形チャンネル材
HH      下支え板
N        間柱上部の固定金物
J        土台と板付きチャンネル材とを固定する外回り壁用でボルト2本を固着した板片
JW      板ワッシャー
V        板付きチャンネル材同士の接続板
JJ        外回り壁用で板付きチャンネル材同士の接続板
E        土台への板付きチャンネル材の取り付け金物
R        基盤
RU      角管に固着させた基盤受け
【図１】
2018165439.tif 000003
【図２】
2018165439.tif 000004
【図３】
2018165439.tif 000005
【図４】
2018165439.tif 000006
【図５】
2018165439.tif 000007
【図６】
2018165439.tif 000008
【図７】
2018165439.tif 000009
【図８】
2018165439.tif 000010
【図９】
2018165439.tif 000011
【図１０】
2018165439.tif 000012
【図１１】
2018165439.tif 000013
【手続補正書】
【提出日】平成29年7月11日(2017.7.11)
【手続補正１】
【補正対象書類名】明細書
【補正対象項目名】全文
【補正方法】変更
【補正の内容】
【発明の詳細な説明】
【技術分野】
【０００１】
木造骨組みの補強方法。
【背景技術】
【０００２】
木造住宅工法で筋交いを取り付ける場合、筋交いが間柱の中間と交差する部分の50％〜90％を削除加工する事で施工し、さらに柱の上部に斜め補強木材を取り付ける柱の箇所15％〜40％を削除する事で施工し、木造住宅の骨組みでは補強木材や補強金物は取り付け箇所だけの強度効果に止まり、それらの強度効果につながりが無い為に地震に弱い。
【先行技術文献】
【特許文献】
【０００３】
【特許文献１】特願2017−042529
【発明の概要】
【発明が解決しようとする課題】
【０００４】
在来工法の木造骨組みを嵌め合わせて組む場合、木の接合部分を削除加工する事で施工し、その骨組み削除加工部分それぞれの削除断面が15％〜90％になる場合があり、しかも在来工法は補強金物や補強木材はその取り付け箇所だけの強度効果に止まり、その強度効果につながりが無い為に地震に弱く、さらに被災地では一部の半壊家屋がゴミとして処分されている場合もある現状で本発明技術は新築時より耐震強度の高い住宅に改築再生できる可能性を有し、未来に発生する地震による死者と倒壊家屋とを減少できる可能性に関連する。
【課題を解決するための手段】
【０００５】
上記目的を達成するために、本発明に係る木造骨組みの接合各所に固定する金物をつなげる全補強金物連結方法を説明する、2本のチャンネル材を直角に突き合せた箇所を固着し、その直角接合チャンネル材の底面内に三角板を固着させて形成する板付きチャンネル部材を柱の上部と下部とにボルト固定し、その板付きチャンネル部材を屋根裏内で柱の上部と梁とにボルト固定する場合は図7のような各板付きチャンネル集合部材を製作し施工する。
【０００６】
土台に直立する柱の下部にボルト固定させる板付きチャンネル部材の三角板部分にボルト固定する筋交いを斜め右上や斜め左上に上げて間柱の高さの中間位置で左側面と右側面とにボルト固定するT型部材の突起板部分それぞれに筋交いをボルト固定させて間柱の中間部分から4本の筋交いを上下斜め十字四方に伸ばし、その筋交いを柱の上部と下部とに固定する板付きチャンネル部材の三角板にボルト固定する事で在来工法のような間柱の中間部分の削除加工を無くし、さらに柱の上部分と梁との接合部分に斜め補強木材を組み付ける箇所の削除加工も無くした。
【０００７】
階下の各板付きチャンネル集合部材の側面穴に接続板片をボルトで固定し、その接続板片に固着させたボルトは梁を介して上階の板付きチャンネル部材の側面穴に差し入れて固定し、その上階と下階との板付きチャンネル部材と梁とを上下に貫通ボルトで接続固定し、さらに板付きチャンネル集合部材は増改築工事では取り付けが不可能なので各板付きチャンネル部材の側面穴と側面穴とを接合アングルと接続板片と貫通ボルトとで固定させて一体化し、上記のように木造骨組みで間柱の中間部分の両側面に固定するT型部材と柱の上下双方に固定するチャンネル部材と筋交いと接合アングルと各種接続板と接続板片とコの字形金物とU字形金物と貫通ボルト等で全金物をつながらせて補強する全金物連結補強方法。
【発明の効果】
【０００８】
強度の弱い耐火用石膏ボードを張る台所の壁を耐震壁にし、被災地のゴミとして廃棄される一部の半壊家屋を新築時より耐震強度の高い住宅に改築再生し、さらに未来に発生する地震による死者と倒壊家屋とを減少させ地震に負けない町作りできる。
【図面の簡単な説明】
【０００９】
【図１】胴差しを組み入れた外回り骨組みの正面図。
【図２】便所の角柱に方開き戸を取り付けた場合の骨組みの正面図。
【図３】電動片開き戸の基盤の削除部分をぬけて斜め上に上がる平角棒筋交いの斜視図。
【図４】角柱と柱とのそれぞれに取り付けた受け台の間をすり抜ける平角棒筋交いの正面図。
【図５】電動引き戸の壁内の角管間柱と平角棒筋交いとの斜視図。
【図６】間柱に取り付けたチャンネル部材の突起板部分に固定する筋交いの斜視図。
【図７】木造新築工事の上棟時に取り付ける各板付きチャンネル集合部材の斜視図。
【図８】階下のチャンネル集合部材と階上の板付きチャンネル部材との組み合わせ斜視図。
【図９】上階と下階との板付きチャンネル部材を連結固定する斜視図。
【図１０】増改築工事中に接合アングルで形成する下階の各板付きチャンネル集合部材と上階の板付きチャンネル部材との取り付け斜視図。
【図１１】間柱取り付け板を端部に有する板付きチャンネル部材を土台に固定した斜視図。
【発明を実施するための形態】
【００１０】
本発明の一実施形態に係る木造骨組みの接合各所に固定する全補強金物連結方法を説明する、2本のチャンネル材を直角に突き合せた箇所を固着し、その直角接合チャンネル材の底面内に三角板TSを固着させて形成する板付きチャンネル部材Tを形成し、板付きチャンネル部材Tを屋根裏内で柱Hの上部と梁GとにボルトSB固定する場合は図7のような各板付きチャンネル集合部材は角管HKの4面それぞれに部屋割りに応じた数の板付きチャンネル部材Tを固着する事で形成し、形成された各板付きチャンネル集合部材を上棟時に各柱の上部に嵌め被せた。
【００１１】
各柱Hの下部と土台Dとに固定する板付きチャンネル部材Tの三角板TS部分にボルト固定する筋交いAを斜め右上や斜め左上に上げて間柱HMの中間位置高さの左側面と右側面との左右双方にボルトで固定するT型部材Pの突起板部分PTそれぞれに筋交いAをボルト固定する事で間柱HMの中間部分から斜め十字四方に筋交いAを伸ばし、斜め上に伸ばした筋交いAを柱Hの上部と下部との板付きチャンネル部材Tの三角板TSに固定する事で間柱HMと筋交いAとが交差する事による間柱HMの中間部分の削除加工を無くし、さらに在来工法のように柱Hの上部分と梁Gとに斜め補強木と柱Hとを組み付ける為に柱Hの接合部分を削除加工する事も無くした。
【００１２】
電動片開き戸機構を壁内に埋設する場合は図2のように角管間柱Kに固着する受け板RUと便所の角柱HKに釘付けする半割り板HHとに基盤Rを載せ、図3のように角管間柱Kの中間に固着する中間板Fに固定する4本の平角棒の筋交いKHを右斜めと左斜めとに伸ばし柱Hの上部と下部とに固定する板付きチャンネル部材Tの三角板TS部分に平角棒の筋交いKHをボルト固定し、その平角棒の筋交いKHが当る基盤Rの2箇所を図3のように削除する事で電動片開き戸を取り付ける壁を強固にした。
【００１３】
電動引き戸機構を壁内に埋設する場合は図4のように基盤Rを二つに分けて角柱HKと柱Hとに固定する事で空いた空間に通過させる平角棒筋交いKHを角管間柱Kに固定する中間板Fから右斜めと左斜めとに伸ばし柱Hの上部と下部とに固定する板付きチャンネル部材Tの三角板TSに固定する事で電動引き戸を取り付ける壁も強固にした。
【００１４】
階下の各板付きチャンネル集合部材の側面穴と梁を介して上階の板付きチャンネル部材Tの側面穴とを接続板片Sで接続し、その上階と下階との板付きチャンネル部材と梁を上下に貫通する貫通ボルSBで接続固定し、その各板付きチャンネル集合材は増改築工事での取り付けが不可能なので各板付きチャンネル材Tの側面穴と側面穴とを接合アングルSAと接続板片Sと貫通ボルトSBとで固定させて一体化にし、上記のように木造骨組みで間柱の中間部分の両側面それぞれに固定するT型部材Pと柱の上下双方に固定する板付きチャンネル部材Tと筋交いAと各種接続板と接続板片Sとコの字形金物とU字形金物と貫通ボルト等をつながらせて補強する全金物連結補強方法。
【符号の説明】
【００１５】
HK    便所の角柱
H     柱
HM    間柱
G     梁
Q     胴差し
U     天井板
D     土台
DD    土台束
DH    掃き出し窓の木枠
T     板付きチャンネル材
TS    三角板
K     角管
F     角管の中間に固着させた中間板
KH    平角棒の筋交い
A     アングル筋交い
P     T型材
PT    T型材の突起板部分
C     異形チャンネル材
HH    下支え板
N     間柱上部の固定金物
J     片面に短いボルト1本と長いボルト1本とを固着させた接続板
JW    板ワッシャー
V     片面に短いボルト2本を固着させた横接続板
JJ    片面に短いボルト2本を固着させた接続板
S 片面にネジ穴を一つ有し短いボルト1を本固着させた接続板片
E     土台取り付け用U字型金物
Z     コの字型金物
R     基盤
RU    角管に固着させた基盤受け
【手続補正２】
【補正対象書類名】特許請求の範囲
【補正対象項目名】全文
【補正方法】変更
【補正の内容】
【特許請求の範囲】
【請求項１】
2本のチャンネル材を直角に突き合せた部分を固着し、その直角接合チャンネル部材の底面内に三角板を固着させて形成する板付きチャンネル部材を柱の上部と下部とにボルト固定し、その板付きチャンネル部材を屋根裏内で柱の上部と梁とにボルト固定する場合は図7のような各板付きチャンネル集合部材を製作施工し、土台と各柱の下部とにボルト固定させる板付きチャンネル部材の三角板部分にボルト固定する筋交いを斜め右上や斜め左上に上げて間柱の中間部分の左側面と右側面とにボルト固定するT型部材の突起板部分それぞれにボルト固定し、その各筋交いを間柱の中間部分から斜め十字四方に伸び、伸びた筋交いを柱上部と柱下部との板付きチャンネル部材の三角板に固定する事で在来工法のような間柱の中間部分の削除加工を無くし、さらに柱と梁とに斜め補強木材を組み付ける箇所の削除加工も無くし、さらに階下で柱上部の板付きチャンネル部材の側面穴に接続板片をボルト固定し、その接続板片に固着させたボルトを上階の板付きチャンネル部材の側面穴に差し入れて梁を介して接続固定し、それら上階と下階との板付きチャンネル部材と梁とを上下に貫通ボルトで接続固定し、さらに板付きチャンネル集合部材は増改築工事での取り付けが不可能な為、各板付きチャンネル部材の側面穴と側面穴とを接合アングルと接続板片と貫通ボルトとで固定させて一体化し、上記のように木造骨組みで間柱の中間部分の両側面に固定するT型部材と柱の上下双方に固定するチャンネル部材と筋交いと接合アングルと各種接続板と接続板片とU字形金物とコの字形金物と貫通ボルト等で全金物をつながらせて補強する全金物連結補強方法。
【手続補正書】
【提出日】平成29年8月3日(2017.8.3)
【手続補正１】
【補正対象書類名】明細書
【補正対象項目名】全文
【補正方法】変更
【補正の内容】
【発明の詳細な説明】
【技術分野】
【０００１】
木造骨組みの補強方法。
【背景技術】
【０００２】
木造住宅工法で筋交いを取り付ける場合、筋交いが間柱の中間と交差する部分の50％〜90％を削除加工する事で施工し、さらに柱の上部に斜め補強木材を取り付ける柱の箇所15％〜40％を削除する事で施工し、木造住宅の骨組みでは補強木材や補強金物は取り付け箇所だけの強度効果に止まり、それらの強度効果につながりが無い為に地震に弱い。
【先行技術文献】
【特許文献】
【０００３】
【特許文献１】特願2017−042529
【発明の概要】
【発明が解決しようとする課題】
【０００４】
在来工法の木造骨組みを嵌め合わせて組む場合、木の接合部分を削除加工する事で施工し、その骨組み削除加工部分それぞれの削除断面が15％〜90％になる場合があり、しかも在来工法は補強金物や補強木材はその取り付け箇所だけの強度効果に止まり、その強度効果につながりが無い為に地震に弱く、さらに被災地では一部の半壊家屋がゴミとして処分されている場合もある現状で本発明技術は新築時より耐震強度の高い住宅に改築再生できる可能性を有し、未来に発生する地震による死者と倒壊家屋とを減少できる可能性に関連する。
【課題を解決するための手段】
【０００５】
上記目的を達成するために、本発明に係る木造骨組みの接合各所に固定する金物をつなげる全補強金物連結方法を説明する、2本のチャンネル材を直角に突き合せた箇所を固着し、その直角接合チャンネル材の底面内に三角板を固着させて形成する板付きチャンネル部材を柱の上部と下部とにボルト固定し、その板付きチャンネル部材を屋根裏内で柱の上部と梁とにボルト固定する場合は各種の板付きチャンネル集合部材を製作し施工する。
【０００６】
土台に直立する柱の下部にボルト固定させる板付きチャンネル部材の三角板部分にボルト固定する筋交いを斜め右上や斜め左上に上げて間柱の高さの中間位置で左側面と右側面とにボルト固定するT型部材の突起板部分それぞれに筋交いをボルト固定させて間柱の中間部分から4本の筋交いを上下斜め十字四方に伸ばし、その筋交いを柱の上部と下部とに固定する板付きチャンネル部材の三角板にボルト固定する事で在来工法のような間柱の中間部分の削除加工を無くし、さらに柱の上部分と梁との接合部分に斜め補強木材を組み付ける箇所の削除加工も無くした。
【０００７】
階下の各板付きチャンネル集合部材の側面穴に接続板片をボルトで固定し、その接続板片に固着させたボルトは梁を介して上階の板付きチャンネル部材の側面穴に差し入れて固定し、その上階と下階との板付きチャンネル部材と梁とを上下に貫通ボルトで接続固定し、さらに板付きチャンネル集合部材は増改築工事では取り付けが不可能なので各板付きチャンネル部材の側面穴と側面穴とを接合アングルと接続板片と貫通ボルトとで固定させて一体化し、上記のように木造骨組みで間柱の中間部分の両側面に固定するT型部材と柱の上下双方に固定するチャンネル部材と筋交いと接合アングルと各種接続板と接続板片とコの字形金物と貫通ボルト等で全金物をつながらせて補強する全金物連結補強方法。
【発明の効果】
【０００８】
強度の弱い耐火用石膏ボードを張る台所の壁を耐震壁にし、被災地のゴミとして廃棄される一部の半壊家屋を新築時より耐震強度の高い住宅に改築再生し、さらに未来に発生する地震による死者と倒壊家屋とを減少させ地震に負けない町作りできる。
【図面の簡単な説明】
【０００９】
【図１】胴差しを組み入れた外回り骨組みの正面図。
【図２】便所の角柱に方開き戸を取り付けた場合の骨組みの正面図。
【図３】電動片開き戸の基盤の削除部分をぬけて斜め上に上がる平角棒筋交いの斜視図。
【図４】角柱と柱とのそれぞれに取り付けた受け台の間をすり抜ける平角棒筋交いの正面図。
【図５】電動引き戸の壁内の角管間柱と平角棒筋交いとの斜視図。
【図６】間柱に取り付けたチャンネル部材の突起板部分に固定する筋交いの斜視図。
【図７】木造新築工事の上棟時に取り付ける各板付きチャンネル集合部材の斜視図。
【図８】階下のチャンネル集合部材と階上の板付きチャンネル部材との組み合わせ斜視図。
【図９】上階と下階との板付きチャンネル部材を連結固定する斜視図。
【図１０】増改築工事中に接合アングルで形成する下階の各板付きチャンネル集合部材と上階の板付きチャンネル部材との取り付け斜視図。
【図１１】間柱取り付け板を端部に有する板付きチャンネル部材を土台に固定した斜視図。
【発明を実施するための形態】
【００１０】
本発明の一実施形態に係る木造骨組みの接合各所に固定する全補強金物連結方法を説明する、2本のチャンネル材を直角に突き合せた箇所を固着し、その直角接合チャンネル材の底面内に三角板TSを固着させて形成する板付きチャンネル部材Tを形成し、板付きチャンネル部材Tを屋根裏内で柱Hの上部と梁GとにボルトSB固定する場合は図7のような各板付きチャンネル集合部材は角管HKの4面それぞれに部屋割りに応じた数の板付きチャンネル部材Tを固着する事で形成し、形成された各板付きチャンネル集合部材を上棟時に各柱の上部に嵌め被せた。
【００１１】
各柱Hの下部と土台Dとに固定する板付きチャンネル部材Tの三角板TS部分にボルト固定する筋交いAを斜め右上や斜め左上に上げて間柱HMの中間位置高さの左側面と右側面との左右双方にボルトで固定するT型部材Pの突起板部分PTそれぞれに筋交いAをボルト固定する事で間柱HMの中間部分から斜め十字四方に筋交いAを伸ばし、斜め上に伸ばした筋交いAを柱Hの上部と下部との板付きチャンネル部材Tの三角板TSに固定する事で間柱HMと筋交いAとが交差する事による間柱HMの中間部分の削除加工を無くし、さらに在来工法のように柱Hの上部分と梁Gとに斜め補強木と柱Hとを組み付ける為に柱Hの接合部分を削除加工する事も無くした。
【００１２】
電動片開き戸機構を壁内に埋設する場合は図2のように角管間柱Kに固着する受け板RUと便所の角柱HKに釘付けする半割り板HHとに基盤Rを載せ、図3のように角管間柱Kの中間に固着する中間板Fに固定する4本の平角棒の筋交いKHを右斜めと左斜めとに伸ばし柱Hの上部と下部とに固定する板付きチャンネル部材Tの三角板TS部分に平角棒の筋交いKHをボルト固定し、その平角棒の筋交いKHが当る基盤Rの2箇所を図3のように削除する事で電動片開き戸を取り付ける壁を強固にした。
【００１３】
電動引き戸機構を壁内に埋設する場合は図4のように基盤Rを二つに分けて角柱HKと柱Hとに固定する事で空いた空間に通過させる平角棒筋交いKHを角管間柱Kに固定する中間板Fから右斜めと左斜めとに伸ばし柱Hの上部と下部とに固定する板付きチャンネル部材Tの三角板TSに固定する事で電動引き戸を取り付ける壁も強固にした。
【００１４】
階下の各板付きチャンネル集合部材の側面穴と梁を介して上階の板付きチャンネル部材Tの側面穴とを接続板片Sで接続し、その上階と下階との板付きチャンネル部材と梁を上下に貫通する貫通ボルSBで接続固定し、その各板付きチャンネル集合材は増改築工事での取り付けが不可能なので各板付きチャンネル材Tの側面穴と側面穴とを接合アングルSAと接続板片Sと貫通ボルトSBとで固定させて一体化にし、上記のように木造骨組みで間柱の中間部分の両側面それぞれに固定するT型部材Pと柱の上下双方に固定する板付きチャンネル部材Tと筋交いAと各種接続板と接続板片Sとコの字形金物と貫通ボルト等をつながらせて補強する全金物連結補強方法。
【符号の説明】
【００１５】
HK      便所の角柱
H        柱
HM      間柱
G        梁
Q        胴差し
U        天井板
D        土台
DD      土台束
DH      掃き出し窓の木枠
T        板付きチャンネル材
TS      三角板
K        角管
F        角管の中間に固着させた中間板
KH      平角棒の筋交い
A        アングル筋交い
P        T型材
PT      T型材の突起板部分
C        異形チャンネル材
HH      下支え板
N        間柱上部の固定金物
J        片面に短いボルト1本と長いボルト1本とを固着させた接続板
JW      板ワッシャー
V        片面に短いボルト2本を固着させた横接続板
JJ        片面に短いボルト2本を固着させた接続板
S 片面にネジ穴を一つ有し短いボルト1を本固着させた接続板片
Z        コの字型金物
R        基盤
RU      角管に固着させた基盤受け
【手続補正２】
【補正対象書類名】特許請求の範囲
【補正対象項目名】全文
【補正方法】変更
【補正の内容】
【特許請求の範囲】
【請求項１】
2本のチャンネル材を直角に突き合せた部分を固着し、その直角接合チャンネル部材の底面内に三角板を固着させて形成する板付きチャンネル部材を柱の上部と下部とにボルト固定し、その板付きチャンネル部材を屋根裏内で柱の上部と梁とにボルト固定する場合は各種の板付きチャンネル集合部材を製作施工し、土台と各柱の下部とにボルト固定させる板付きチャンネル部材の三角板部分にボルト固定する筋交いを斜め右上や斜め左上に上げて間柱の中間部分の左側面と右側面とにボルト固定するT型部材の突起板部分それぞれにボルト固定し、その各筋交いを間柱の中間部分から斜め十字四方に伸び、伸びた筋交いを柱上部と柱下部との板付きチャンネル部材の三角板に固定する事で在来工法のような間柱の中間部分の削除加工を無くし、さらに柱と梁とに斜め補強木材を組み付ける箇所の削除加工も無くし、さらに階下で柱上部の板付きチャンネル部材の側面穴に接続板片をボルト固定し、その接続板片に固着させたボルトを上階の板付きチャンネル部材の側面穴に差し入れて梁を介して接続固定し、それら上階と下階との板付きチャンネル部材と梁とを上下に貫通ボルトで接続固定し、さらに板付きチャンネル集合部材は増改築工事での取り付けが不可能な為、各板付きチャンネル部材の側面穴と側面穴とを接合アングルと接続板片と貫通ボルトとで固定させて一体化し、上記のように木造骨組みで間柱の中間部分の両側面に固定するT型部材と柱の上下双方に固定する板付きチャンネル部材と筋交いと接合アングルと各種接続板と接続板片とコの字形金物と貫通ボルト等で全金物をつながらせて補強する全金物連結補強方法。